(57)【特許請求の範囲】
【請求項１】
送風能力を強中弱の３段階で切り換え可能なファンコイルユニットと、ファンコイルユニットを切り換え制御する４つのスイッチを具備するとともに固有のアドレスを有し各スイッチそれぞれの状態に応じた操作データを発生する操作用端末器と、固有のアドレスを有しファンコイルユニットを制御するファンコイル制御用端末器と、各端末器が２線式の信号線を介して接続されるとともにアドレスデータを含む伝送信号を上記信号線に送出することによって各端末器をアクセスして上記操作データ及び上記操作データに基づいて作成したファンコイルユニットの制御内容を示す制御データを時分割多重伝送する伝送処理装置とを備え、上記各スイッチは、送風能力を強とするための第１のスイッチ、送風能力を中とするための第２のスイッチ、送風能力を弱とするための第３のスイッチ、ファンコイルユニットの電源を入／切するための第４のスイッチであり、各スイッチの操作用の押釦が操作用端末器のケースの長手方向に沿って並設され、ファンコイル制御用端末器は、上記制御データに基づいてファンコイルユニットを制御する信号処理部を備え、操作用端末器の４つのスイッチは、上記伝送信号によりアドレスデータに付随して伝送される負荷番号によってファンコイルユニットの送風能力の強、中、弱、電源の入／切に対応付けられることを特徴とするファンコイルシステム。
【請求項２】
操作用端末器は、上記信号線を通して伝送処理装置から伝送される伝送信号より内部回路の動作用電源を得る電源回路を備えて成ることを特徴とする請求項１記載のファンコイルシステム。
【請求項３】
操作用端末器は、スイッチの状態を表示する表示素子を備えて成ることを特徴とする請求項１または請求項２記載のファンコイルシステム。
【請求項４】
操作用端末器のケースは、配線器具用の取付枠に該取付枠の開口窓からケースの前面が露出する形で最大３個まで連接して取り付けることができる単位寸法の配線器具の３個分に相当する寸法に形成され、上記取付枠に取り付けるための取付部が形成されて成ることを特徴とする請求項１ないし請求項３のいずれかに記載のファンコイルシステム。
【請求項５】
ファンコイル制御用端末器は、ファンコイルユニットへの給電路に挿入される出力切換回路を備え、上記信号処理部は、受信した制御データに基づいて出力切換回路を制御することによりファンコイルユニットの送風能力を変化させることを特徴とする請求項１ないし請求項４のいずれかに記載のファンコイルシステム。
【請求項６】
ファンコイル制御用端末器のケースは、電灯分電盤用協約形配線しゃ断器の整数倍の大きさに形成され、分電盤内に固定され電灯分電盤用協約形配線しゃ断器を連接して取り付けることができる盤用連接取付板に取り付けるための取付部が形成されて成ることを特徴とする請求項１ないし請求項５のいずれかに記載のファンコイルシステム。
【発明の詳細な説明】
【０００１】
【発明の属する技術分野】
本発明は、送風能力を段階的に変化できるファンコイルユニットの動作を制御するファンコイルシステムに関するものである。
【０００２】
【従来の技術】
従来より、ホテルやオフィスなどに設置されるファンコイルシステムとして、風量を３段階（強、中、弱）で切り換えることができるファンコイルユニットと、ファンコイルユニットの動作を制御する操作器とを備えたものが提供されている。操作器としては、ロータリスイッチが用いられ、該操作器のケースの前面から露出した操作摘子の操作により商用電源とファンコイルユニットとの間に挿入された接点を切り換えることでファンコイルユニットを制御するようになっている。
【０００３】
【発明が解決しようとする課題】
しかしながら、上記従来のファンコイルシステムにおける操作器は、ロータリスイッチを用いているので、操作にあたっては操作摘子を回動させる必要があり、操作性があまり良くないという不具合があった。
【０００４】
本発明は上記事由に鑑みて為されたものであり、その目的は、操作性の良いファンコイルシステムを提供することにある。
【０００５】
【課題を解決するための手段】
請求項１の発明は、上記目的を達成するために、以下のような構成を有する。
【０００６】
請求項１の発明は、送風能力を強中弱の３段階で切り換え可能なファンコイルユニットと、ファンコイルユニットを切り換え制御する４つのスイッチを具備するとともに固有のアドレスを有し各スイッチそれぞれの状態に応じた操作データを発生する操作用端末器と、固有のアドレスを有しファンコイルユニットを制御するファンコイル制御用端末器と、各端末器が２線式の信号線を介して接続されるとともにアドレスデータを含む伝送信号を上記信号線に送出することによって各端末器をアクセスして上記操作データ及び上記操作データに基づいて作成したファンコイルユニットの制御内容を示す制御データを時分割多重伝送する伝送処理装置とを備え、上記各スイッチは、送風能力を強とするための第１のスイッチ、送風能力を中とするための第２のスイッチ、送風能力を弱とするための第３のスイッチ、ファンコイルユニットの電源を入／切するための第４のスイッチであり、各スイッチの操作用の押釦が操作用端末器のケースの長手方向に沿って並設され、ファンコイル制御用端末器は、上記制御データに基づいてファンコイルユニットを制御する信号処理部を備え、操作用端末器の４つのスイッチは、上記伝送信号によりアドレスデータに付随して伝送される負荷番号によってファンコイルユニットの送風能力の強、中、弱、電源の入／切に対応付けられることを特徴とするものであり、押釦を押すだけの操作でファンコイルユニットの送風能力を制御したりファンコイルユニットの電源の入／切を制御することができ、操作性が向上する。
【０００７】
また、２線式の信号線で伝送処理装置に接続されたファンコイル制御用端末器でファンコイルの制御を行うので、ファンコイルユニットの動作を遠隔から切り換え制御することができ、ファンコイルユニットのグループ制御、集中制御及び集中監視が可能となるとともに、設置場所の自由度が高くなる。
【０００８】
また、操作用端末器の４つのスイッチは、上記伝送信号によりアドレスデータに付随して伝送される負荷番号によってファンコイルユニットの送風能力の強、中、弱、電源の入／切に対応付けられるので、照明制御用等に用いられる４つのスイッチを具備した既存の操作用端末器に負荷番号を適宜設定してネームシートを「強」、「中」、「弱」、「入／切」等の文字が記入されたネームシートに取り換えることにより、上記照明制御用等に用いられる操作用端末器をファンコイルシステムの操作用端末器として流用することができる。
【０００９】
請求項２の発明は、請求項１の発明において、操作用端末器は、上記信号線を通して伝送処理装置から伝送される伝送信号より内部回路の動作用電源を得る電源回路を備えているので、操作用端末器に電源を供給するための配線を別途に設ける必要がないから、配線数を少なくすることができ、施工が容易になる。
【００１０】
請求項３の発明は、請求項１または請求項２の発明において、操作用端末器は、スイッチの状態を表示する表示素子を備えているので、スイッチの状態を外部から容易に確認することができ、ファンコイルユニットの状態を知ることができる。
【００１１】
請求項４の発明は、請求項１ないし請求項３の発明において、操作用端末器のケースは、配線器具用の取付枠に該取付枠の開口窓からケースの前面が露出する形で最大３個まで連接して取り付けることができる単位寸法の配線器具の３個分に相当する寸法に形成され、上記取付枠に取り付けるための取付部が形成されているので、コンセントなどの埋込型の配線器具と同じ施工法で施工することができ、施工業者にとって施工作業が容易になる。
【００１２】
請求項５の発明は、請求項１ないし請求項４の発明において、ファンコイル制御用端末器は、ファンコイルユニットへの給電路に挿入される出力切換回路を備え、上記信号処理部は、受信した制御データに基づいて出力切換回路を制御することによりファンコイルユニットの送風能力を変化させることを特徴とする。
【００１３】
請求項６の発明は、請求項１ないし請求項５の発明において、ファンコイル制御用端末器のケースは、電灯分電盤用協約形配線しゃ断器の整数倍の大きさに形成され、分電盤内に固定され電灯分電盤用協約形配線しゃ断器を連接して取り付けることができる盤用連接取付板に取り付けるための取付部が形成されているので、ファンコイル制御用端末器を盤用連接取付板を介して分電盤内に容易に配設することができ、配設作業及び配線作業を簡略化することができる。
【００１４】
【発明の実施の形態】
本実施形態のファンコイルシステムの基本構成及び基本動作についてまず図１１に示すシステムを参照しながら説明する。図１１に示すシステムは、伝送処理装置１に、スイッチの操作状態を監視する複数の操作用端末器４及び負荷２を制御する複数の制御用端末器３が２線式の信号線Ｌｓを介して接続され、スイッチ操作に基づいて伝送処理装置１が遠隔制御で負荷２の動作制御を行い、その負荷２の動作状態を伝送処理装置１で監視するように構成されている。ここで、上記各端末器３，４にはそれぞれ固有のアドレスを設定してある。
【００１５】
伝送処理装置１は上記信号線Ｌｓに対して図１２（ａ）、（ｂ）のようなフォーマットの伝送信号Ｖｓを送出する。すなわち、伝送信号Ｖｓは、信号送出開始を示すスタートパルスＳＴ、信号モードを示すモードデータＭＤ、アドレスデータＡＤ、負荷を制御する制御データＣＤ、伝送エラーを検出するチェックサムデータＣＳ、制御用端末器３や操作用端末器４からの返信データ信号の返送期間を設定する信号返送期間ＷＴよりなる複極（±２４Ｖ）の時分割多重信号であり、パルス幅変調によってデータが伝送されるようになっている。
【００１６】
各制御用端末器３及び各操作用端末器４では、信号線Ｌｓを介して受信した伝送信号Ｖｓにより伝送されたアドレスデータＡＤが予め設定されている自己のアドレス（固有アドレス）と一致すると、伝送信号Ｖｓの制御データＣＤを取り込むとともに、伝送信号Ｖｓの信号返送期間ＷＴに同期して返信データを電流モード信号（信号線Ｌｓの線間を適当な低インピーダンスを介して短絡して送出される信号）として返送する。
【００１７】
また、伝送処理装置１には、ダミー信号送信手段及び割り込み処理手段が設けられている。ダミー信号送信手段は、モードデータＭＤをダミーモードとしたダミー伝送信号を常時送出する。また、割り込み処理手段は図１２（ｃ）に示すような割り込み  信号Ｖｉが返送されたときに、割り込み信号Ｖｉを発生した操作用端末器４を検出し、その操作用端末器４をアクセスして割り込み信号Ｖｉを発生した操作用端末器４から返信データを返送させるようになっている。すなわち、常時はダミー信号送信手段によってダミー伝送信号を信号線Ｌｓに送出し、スイッチの操作に伴って操作用端末器４から発生した割り込み信号Ｖｉをダミー伝送信号のスタートパルス信号ＳＴに同期して検出すると、伝送処理装置１からは割り込み処理手段によってモードデータ信号ＭＤをアドレス確認モードとした伝送信号Ｖｓを信号線Ｌｓに送出する。各操作用端末器４では、割り込み信号Ｖｉを発生すると割り込みの要求を行う割り込みフラグを設定し、割り込みフラグが設定されている操作用端末器４ではモードデータ信号ＭＤがアドレス確認モードの伝送信号Ｖｓを受信すると、この伝送信号Ｖｓの信号返送期間ＷＴに同期して操作用端末器４に設定されているアドレスデータを返信データとして返送する。このようにして伝送処理装置１では割り込み信号Ｖｉを発生した操作用端末器４のアドレスを獲得することができる。
【００１８】
伝送処理装置１では、割り込み信号Ｖｉを発生した操作用端末器４のアドレスを獲得すると、スイッチに対する対応関係があらかじめ設定されている負荷２を接続した制御用端末器３に伝送する制御データを生成するとともに、その制御データを含む伝送信号Ｖｓを信号線Ｌｓに送出し、対応する制御用端末器３に制御データを伝送して負荷２を制御する。
【００１９】
ところで、操作用端末器４は最大４回路のスイッチを備え、制御用端末器３は最大４回路の負荷２が制御可能であって、操作用端末器４及び制御用端末器３には各負荷２を個別に認識するために２ビットの負荷番号が付加されている。なお、上記スイッチの負荷番号と負荷２の負荷番号との対応関係は伝送処理装置１で管理されている。
【００２０】
（実施形態）
本実施形態のファンコイルシステムは、図１に示すように、伝送処理装置１からの２線式の信号線Ｌｓに、制御用端末器３であるファンコイル制御用端末器、操作用端末器４を接続してある。また、ファンコイル制御用端末器３には負荷２であるファンコイルユニットが接続されている。ここにおいて、ファンコイル制御用端末器３には、ＡＣ２４Ｖを給電するリモコントランス５が電源線Ｌ２を介して接続されている。なお、ファンコイルユニット２は、送風機Ｆ、モータＭ、電動弁Ｖなどを具備する従来周知の構成を有し、商用電源のような交流電源ＡＣからの電源供給を受けて動作するものであり、送風能力（動作モード）を「強」、「中」、「弱」の３段階で切り換え可能となっている。
【００２１】
操作用端末器４は、ファンコイルユニット２の送風能力を「強」とするための第１のスイッチ、「中」とするための第２のスイッチ、「弱」とするための第３のスイッチ、ファンコイルユニット２の電源を入／切するための第４のスイッチを具備しており、各スイッチそれぞれの操作用の押釦Ｐ１、Ｐ２、Ｐ３、Ｐ４がケース４０（図２参照）の前面から露出している。
【００２２】
操作用端末器４の上記４つのスイッチは、上記伝送信号ＶｓによりアドレスデータＡＤに付随して伝送される負荷番号によってファンコイルユニット２の送風能力の強、中、弱、入／切に対応付けられる。ここにおいて、操作用端末器４は、上記各スイッチごとに異なる負荷番号が設定されており、押釦Ｐ１が操作された場合には操作用端末器４から送出される伝送信号ＶｓのアドレスデータＡＤには第１のスイッチに対応して設定された負荷番号が付随し、同様に押釦Ｐ２が操作された場合のアドレスデータＡＤには第２のスイッチに対応して設定された負荷番号が付随し、同様に押釦Ｐ３が操作された場合のアドレスデータＡＤには第３のスイッチに対応して設定された負荷番号が付随し、同様に押釦Ｐ４が操作された場合のアドレスデータＡＤには第４のスイッチに対応して設定された負荷番号が付随する。また、ファンコイル制御用端末器３も、上記伝送信号ＶｓによりアドレスデータＡＤに付随して伝送される負荷番号によってファンコイルユニット２の送風能力の強、中、弱、入／切に対応付けられる。つまり、ファンコイル制御用端末器３は受信した負荷番号に応じてファンコイルユニット２を制御するのである。
【００２３】
つまり、操作用端末器４は、いずれかの押釦Ｐ１〜Ｐ４が操作された場合には、当該押釦Ｐ１〜Ｐ４により操作されたスイッチを示す操作データ（アドレスデータに負荷番号を付随させたデータ）を生成し、その操作データを含む伝送信号Ｖｓを信号線Ｌｓに送出して伝送処理装置１に返送するのである。
【００２４】
したがって、従来より照明制御用等に用いられる４つのスイッチを具備した既存の操作用端末器に負荷番号を適宜設定してネームシートを「強」、「中」、「弱」、「入／切」等の文字が記入されたネームシートに取り換えることによって、上記照明制御用等に用いられる操作用端末器を本ファンコイルシステムの操作用端末器４として流用することができる。
【００２５】
なお、操作用端末器４のケース４０は、埋込型の配線器具用の取付枠７０（大角形連用配線器具の取付枠）に該取付枠７０の開口窓からケースの前面が露出する形で最大３個まで連接して取り付けることができる単位寸法の配線器具の３個分に相当する寸法に形成され、上記取付枠７０に取り付けるための取付部（図示せず）が形成されている。また、操作用端末器４は、各スイッチに対応してそれぞれ一対の表示素子ＬＤ１１，ＬＤ１２、ＬＤ２１，ＬＤ２２、ＬＤ３１，ＬＤ３２、ＬＤ４１，ＬＤ４２が設けられている。ここにおいて、各一対の表示素子ＬＤ１１，ＬＤ１２、ＬＤ２１，ＬＤ２２、ＬＤ３１，ＬＤ３２、ＬＤ４１，ＬＤ４２の一方の各表示素子ＬＤ１１、ＬＤ２１、ＬＤ３１、ＬＤ４１は緑色発光ダイオードにより形成され、他方の各表示素子ＬＤ１２、ＬＤ２２、ＬＤ３２、ＬＤ４２は赤色発光ダイオードにより形成されている。
【００２６】
操作用端末器４は、図３に示すように、マイクロコンピュータ等よりなる信号処理部６０を備え、信号処理部６０は送受信回路６１を介して上記信号線Ｌｓに接続される。ここに、送受信回路６１は、受信部と送信部とからなり、伝送処理装置１から信号線Ｌｓに伝送された上述の伝送信号Ｖｓ（図１２参照）は、受信部を通して信号処理部６０に入力される。一方、信号処理部６０からは、送信部を通して（上記信号線Ｌｓの両線路間を適当な低インピーダンスを介して短絡して）電流モード信号を伝送処理装置１へ返送できるようにしてある。また、信号処理部６０には、上述の第１〜４のスイッチを具備した入力回路６４、上述の表示素子ＬＤ１１，ＬＤ１２、ＬＤ２１，ＬＤ２２、ＬＤ３１，ＬＤ３２、ＬＤ４１，ＬＤ４２を具備した表示回路６５、外部から例えばワイヤレス信号等によってアドレス及び負荷番号（下位アドレス）を設定するアドレス設定部６３が接続されている。また、操作用端末器４は、信号線Ｌｓに常時伝送されている伝送信号Ｖｓを整流して内部回路の動作電源を得る電源回路６２を備えている。すなわち、操作用端末器４への配線は小勢力の信号線Ｌｓのみで行うことができ、別途に電源を設ける必要がないから、配線数を削減でき、施工が容易になる。
【００２７】
ファンコイル制御用端末器３は、伝送処理装置１からの信号線Ｌｓが接続される一対の信号線用端子Ｎ１，Ｎ２と、リモコントランス５からの電源線Ｌ２が接続される一対の電源用端子Ｔ３，Ｔ４と、共通端子であって交流電源ＡＣの一端が接続される端子Ｔ５と、ファンコイルユニット２に接続される端子Ｔ６〜Ｔ９とを備えている。なお、端子Ｔ６は電動弁Ｖに接続され、端子Ｔ７はモータＭの「弱」に対応し、端子Ｔ８はモータＭの「中」に対応し、端子Ｔ９はモータＭの「強」に対応している。なお、本実施形態では、後述の接点ｒ６，ｒ７，ｒ８等（図４参照）により出力切換回路を構成している。
【００２８】
ファンコイル制御用端末器３は、図４に示すような回路構成を有している。すなわち、マイクロコンピュータ等よりなる信号処理部５０を備え、信号処理部５０は送受信回路２１を介して信号線用端子Ｎ１，Ｎ２により上記信号線Ｌｓに接続される。送受信回路２１は、トランジスタＱ１、フォトカプラＰＣ１を備えた受信部２１ａと、トランジスタＱ２，Ｑ３と抵抗Ｒ５とフォトカプラＰＣ２を備えた送信部２１ｂとからなる。したがって、伝送処理装置１から信号線Ｌｓに伝送された上述の伝送信号Ｖｓ（図１２参照）は、受信部２１ａを通して信号処理部５０に入力される。一方、信号処理部５０からは、トランジスタＱ３をオンにすることにより上記信号線Ｌｓの両線路間を抵抗Ｒ５を介して短絡して電流モード信号を伝送処理装置１に返送できるようにしてある。ここに、ダイオードブリッジＤＢ１は、送信部２１ｂと共用されている。伝送信号Ｖｓの受信状態は、信号処理部５０に接続された受信表示用発光ダイオードＬＥＤ２の点滅により示される。
【００２９】
信号処理部５０への給電は、リモコントランス５から給電されるＡＣ２４ＶをダイオードブリッジＤＢ２により全波整流し、トランジスタＱ４、ツェナダイオードＺＤ１、コンデンサＣ２等によりなる電源回路２２によって安定化し、さらにトランジスタＱ５、ツェナダイオードＺＤ２、コンデンサＣ３等によりなる電源回路２３を通して行われる。
【００３０】
ファンコイル制御用端末器３２のアドレスや信号処理部５０の機能を設定する機能データは、例えばＥＥＰＲＯＭなどの不揮発性メモリよりなるデータ記憶部４２に格納されている。データ記憶部４２に格納されるデータは、光信号受信回路４１により受信された信号を信号処理部５０で処理して作成される。ここに、光信号受信回路４１で受信される信号は、図示しない外部のアドレス設定器から発信された赤外線等によるワイヤレス信号である。なお、ファンコイル制御用端末器３には、発光ダイオードＬＥＤ１、トランジスタＱ６などからなる光信号送信回路４５が設けられ、アドレス設定器からのワイヤレス信号が受信されると、その信号の内容に応じて受信確認や設定確認などの応答信号をワイヤレス信号としてアドレス設定器に返送するようになっている。ここで、アドレス設定器によりアドレス及び負荷番号の設定が行われる。
【００３１】
また、信号処理部５０には、基本クロックを与える発信回路４３、信号処理部５０をリセットするためのリセット回路４４等も接続されている。
【００３２】
また、ファンコイル制御用端末器３は、ファンコイルユニット２を制御するためのリレーＲｙ１、Ｒｙ２、Ｒｙ３、Ｒｙ４、Ｒｙ５、Ｒｙ６と、各リレーＲｙ１〜Ｒｙ６を制御するためのトランジスタＱ１１〜Ｑ１７よりなるリレー制御部とを備えている。なお、リレー制御部への給電は、上述の電源回路２２よりなされる。また、リレーＲｙ１、Ｒｙ２、Ｒｙ３はラッチングリレーである。なお、図４中のダイオードＤ１１〜Ｄ１３は外来ノイズ対策用に設けられている。
【００３３】
以下、ファンコイルシステムの動作を図５ないし図８を参照しながら簡単に説明する。図５は第４のスイッチの押釦Ｐ４が操作された場合の動作、図６は第１のスイッチの押釦Ｐ１が操作された場合の動作、図７は第２のスイッチの押釦Ｐ２が操作された場合の動作、図８は第３のスイッチの押釦Ｐ３が操作された場合の動作、をそれぞれ示している。
【００３４】
まず、第４のスイッチの押釦Ｐ４が操作された場合の動作について説明する。押釦Ｐ４が操作されると（Ｓ１）、操作用端末器４から割り込み信号Ｖｉが発生して、操作用端末器４からは第４のスイッチが操作された旨の内容を含む返信データ（操作データ）が伝送処理装置１に返送され（Ｓ２）、伝送処理装置１は該操作データに基づいて制御データを生成して、該制御データを含む伝送信号Ｖｓを信号線Ｌｓに送出し、ファンコイル制御用端末器３に制御データを伝送する（Ｓ３）。この制御データを受信したファンコイル制御用端末器３では、リレーＲｙ４の状態を確認し（Ｓ４）、リレーＲｙ４がオフの場合、信号処理部５０はリレーＲｙ４がオフされる前のリレーＲｙ１〜Ｒｙ６の状態に戻るようにリレーＲｙ１〜Ｒｙ６を制御する（Ｓ８）。例えば、リレーＲｙ４がオフされる前にファンコイルユニット２が「弱」の送風能力で動作していた場合には、信号処理部５０がリレー制御部のトランジスタＱ１１に制御信号を送り、トランジスタＱ１１をオンさせることによりリレーＲｙ１のセットコイルが励磁され、接点ｒ１がオンとなる。その後、トランジスタＱ１７をオンさせてリレーＲｙ４を励磁する。すると、接点ｒ８がオンする。その結果、ファンコイルユニット２へ電源が供給されファンコイルユニット２が「弱」の送風能力にて動作する。Ｓ８の後、ファンコイル制御用端末器３からは制御確認信号が電流モード信号にて伝送処理装置１に返送される（Ｓ９）。伝送処理装置１では、この制御確認信号を受信してファンコイルユニット２の動作状態を確認し、操作用端末器４の表示回路６５に現在の負荷制御状態を表示させるための制御データを含む伝送信号Ｖｓを信号線Ｌｓに送出する（Ｓ１０）。その結果、操作用端末器４では、信号処理部６０によって表示素子ＬＤ１１，ＬＤ１２、ＬＤ２１，ＬＤ２２、ＬＤ３１，ＬＤ３２、ＬＤ４１，ＬＤ４２が制御され、押釦Ｐ４の操作によりファンコイルユニット２の電源を切にする前の状態に戻る。
【００３５】
一方、上記制御データを受信したファンコイル制御用端末器３でリレーＲｙ４の状態を確認し（Ｓ４）、リレーＲｙ４がオンの場合には、信号処理部５０は全てのリレーＲｙ１〜Ｒｙ６をオフさせる（Ｓ５）。例えば、ファンコイルユニット２が「弱」の送風能力で動作していた場合には、信号処理部５０がリレー制御部のトランジスタＱ１２に制御信号を送り、トランジスタＱ１２をオンさせることによりリレーＲｙ１のリセットコイルが励磁され、接点ｒ１がオフとなる。その結果、ファンコイルユニット２への電源供給が遮断される。Ｓ５の後、ファンコイル制御用端末器３からは制御確認信号が電流モード信号にて伝送処理装置１に返送される。伝送処理装置１では、この制御確認信号を受信してファンコイルユニット２の動作状態を確認し、操作用端末器４の表示回路６５に現在の負荷制御状態を表示させるための制御データを含む伝送信号Ｖｓを信号線Ｌｓに送出する（Ｓ７）。その結果、操作用端末器４では、各押釦Ｐ１，Ｐ２，Ｐ３，Ｐ４にそれぞれ対応する緑色発光ダイオードよりなる表示素子ＬＤ１１，ＬＤ２１，ＬＤ３１，ＬＤ４１が点灯する。
【００３６】
次に、ファンコイル操作用端末器４の第１のスイッチの押釦Ｐ１が操作された場合の動作について説明する。押釦Ｐ１が操作されると（Ｓ１１）、操作用端末器４から割り込み信号Ｖｉが発生して、操作用端末器４からは第１のスイッチが操作された旨の内容を含む返信データ（操作データ）が伝送処理装置１に返送され（Ｓ１２）、伝送処理装置１は該操作データを受信すると、該操作データに基づいて制御データを生成して該制御データを含む伝送信号Ｖｓを信号線Ｌｓに送出し、ファンコイル制御用端末器３に制御データを伝送する（Ｓ１３）。この制御データを受信したファンコイル制御用端末器３では、信号処理部５０が「強」に対応するリレーＲｙ２，Ｒｙ３の状態を確認し（Ｓ１４）、リレーＲｙ２，Ｒｙ３がオフの場合には、信号処理部５０がリレー制御部のトランジスタＱ１３，Ｑ１５に制御信号を送り、トランジスタＱ１３，Ｑ１５をオンさせることによりリレーＲｙ２，Ｒｙ３のセットコイルが励磁され、接点ｒ２，ｒ３，ｒ４，ｒ５がオンし、リレーＲｙ５，Ｒｙ６が励磁され、接点ｒ６，ｒ７がオンとなる（Ｓ１５）。その結果、ファンコイルユニット２のモータＭ及び電動弁Ｖに交流電源ＡＣから電源が供給されてファンコイルユニット２が「強」の送風能力にて動作する。Ｓ１５の後、ファンコイル制御用端末器３からは制御確認信号が電流モード信号にて伝送処理装置１に返送される（Ｓ１６）。伝送処理装置１では、この制御確認信号を受信してファンコイルユニット２の動作状態を確認し、操作用端末器４の表示回路６５に現在の負荷制御状態を表示させるための制御データを含む伝送信号Ｖｓを信号線Ｌｓに送出する（Ｓ１７）。その結果、操作用端末器４において押釦Ｐ１に対応する緑色発光ダイオードよりなる表示素子ＬＤ１１が点灯し、かつ他の押釦Ｐ２，Ｐ３，Ｐ４にそれぞれ対応する赤色発光ダイオードよりなる表示素子ＬＤ２２，ＬＤ３２，ＬＤ４２が点灯する。
【００３７】
次に、第２のスイッチの押釦Ｐ２が操作された場合の動作について説明する。押釦Ｐ２が操作されると（Ｓ２１）、操作用端末器４から割り込み信号Ｖｉが発生して、操作用端末器４からは第２のスイッチが操作された旨の内容を含む返信データ（操作データ）が伝送処理装置１に返送され（Ｓ２２）、伝送処理装置１は該操作データを受信すると、該操作データに基づいて制御データを生成して該制御データを含む伝送信号Ｖｓを信号線Ｌｓに送出し、ファンコイル制御用端末器３に制御データを伝送する（Ｓ２３）。この制御データを受信したファンコイル制御用端末器３では、信号処理部５０が「中」に対応するリレーＲｙ３の状態を確認し（Ｓ２４）、リレーＲｙ３がオフの場合には、信号処理部５０がリレー制御部のトランジスタＱ１３に制御信号を送り、トランジスタＱ１３をオンさせることによりリレーＲｙ３のセットコイルが励磁され、接点ｒ２，ｒ４がオンし、リレーＲｙ５が励磁され、接点ｒ６がオンとなる（Ｓ２５）。その結果、ファンコイルユニット２のモータＭ及び電動弁Ｖに交流電源ＡＣから電源が供給されてファンコイルユニット２が「中」の送風能力にて動作する。Ｓ２５の後、ファンコイル制御用端末器３からは制御確認信号が電流モード信号にて伝送処理装置１に返送される（Ｓ２６）。伝送処理装置１では、この制御確認信号を受信してファンコイルユニット２の動作状態を確認し、操作用端末器４の表示回路６５に現在の負荷制御状態を表示させるための制御データを含む伝送信号Ｖｓを信号線Ｌｓに送出する（Ｓ２７）。その結果、操作用端末器４において押釦Ｐ２（第２のスイッチ）に対応する緑色発光ダイオードよりなる表示素子ＬＤ２１が点灯し、かつ他の押釦Ｐ１，Ｐ３，Ｐ４にそれぞれ対応する赤色発光ダイオードよりなる表示素子ＬＤ１２，ＬＤ３２，ＬＤ４２が点灯する。
【００３８】
次に、第３のスイッチの押釦Ｐ３が操作された場合の動作について説明する。押釦Ｐ３が操作されると（Ｓ３１）、操作用端末器４から割り込み信号Ｖｉが発生して、操作用端末器４からは第３のスイッチが操作された旨の内容を含む返信データ（操作データ）が伝送処理装置１に返送され（Ｓ３２）、伝送処理装置１は該操作データを受信すると、該操作データに基づいて制御データを生成して該制御データを含む伝送信号Ｖｓを信号線Ｌｓに送出し、ファンコイル制御用端末器３に制御データを伝送する（Ｓ３３）。この制御データを受信したファンコイル制御用端末器３では、信号処理部５０が「弱」に対応するリレーＲｙ２、Ｒｙ３の状態を確認し（Ｓ３４）、リレーＲｙ２、Ｒｙ３がオンの場合には、信号処理部５０がリレー制御部のトランジスタＱ１４，Ｑ１６に制御信号を送り、トランジスタＱ１４，Ｑ１６をオンさせることによりリレーＲｙ２，Ｒｙ３のリセットコイルが励磁され、接点ｒ２，ｒ３がオフとなる（Ｓ３５）。その結果、ファンコイルユニット２のモータＭ及び電動弁Ｖに交流電源ＡＣから電源が供給されてファンコイルユニット２は「弱」の送風能力にて動作する。Ｓ３５の後、ファンコイル制御用端末器３からは制御確認信号が電流モード信号にて伝送処理装置１に返送される（Ｓ３６）。伝送処理装置１では、この制御確認信号を受信してファンコイルユニット２の動作状態を確認し、操作用端末器４の表示回路６５に現在の負荷制御状態を表示させるための制御データを含む伝送信号Ｖｓを信号線Ｌｓに送出する（Ｓ３７）。その結果、操作用端末器４において押釦Ｐ３（第３のスイッチ）に対応する緑色発光ダイオードよりなる表示素子ＬＤ３１が点灯し、かつ他の押釦Ｐ１，Ｐ２，Ｐ４にそれぞれ対応する赤色発光ダイオードよりなる表示素子ＬＤ１２，ＬＤ２２，ＬＤ４２が点灯する。
【００３９】
なお、本実施形態ではファンコイル制御用端末器３、操作用端末器４、ファンコイルユニット２をそれぞれ１つずつ備えたシステム構成について例示したがこれに限定されるものではない。例えば、信号線Ｌｓによりファンコイル制御用端末器３、操作用端末器４、ファンコイルユニット２を複数台ずつ伝送処理装置１に接続すれば、複数台のファンコイルユニット２を一括して集中監視制御することができ、ファンコイルユニット２のグループ制御、集中制御及び集中監視が容易に行うことができる。
【００４０】
ところで、図４に示した回路は図９及び図１０に示すように、可撓性を有するテープ電線１１ｃ等を介して接続された２枚の回路基板１１ａ，１１ｂに実装されている。ケース１０は、一面が開口した直方体状のボディ１３と、ボディ１３の開口に被嵌されるカバー１４とを組立ねじ１５ａによって結合することにより構成されている。また、ケース１０の寸法は、電灯分電盤用協約形配線しゃ断器の単位寸法の複数倍（４倍）の大きさに対応して設定されており、図示しない分電盤内に固定され電灯分電盤用協約形配線しゃ断器を連接して取り付けることができる盤用連接取付板等に取り付けるための取付孔よりなる取付部１３ｂが形成されている。すなわち、ケース１０は、盤用連接取付板等を用いて分電盤内に容易に配設することができるようになっている。カバー１４の両側部には隔壁１６によって仕切られた凹所１７が形成され、凹所１７の中には端子ねじ１８が螺合した端子板１９が配設される。これらの端子板１９が各端子Ｎ１，Ｎ２，Ｔ３，Ｔ４，Ｔ５，Ｔ６，Ｔ７，Ｔ８，Ｔ９になるのである。また、カバー１４の前面には、発光ダイオードＬＥＤ１及び受光素子ＰＤ１の投受光を可能にするフィルタ１４ｂが装着された透光窓１４ａと、受信表示用発光ダイオードＬＥＤ２からの光を透光させる透光窓１４ｃとが形成されている。なお、上述の端子Ｔ３，Ｔ４，Ｔ５，Ｔ６，Ｔ７，Ｔ８，Ｔ９の前方には端子カバー１２が配設される。
【００４１】
【発明の効果】
本願発明は、以下のような効果がある。
【００４２】
請求項１の発明は、送風能力を強中弱の３段階で切り換え可能なファンコイルユニットと、ファンコイルユニットを切り換え制御する４つのスイッチを具備するとともに固有のアドレスを有し各スイッチそれぞれの状態に応じた操作データを発生する操作用端末器と、固有のアドレスを有しファンコイルユニットを制御するファンコイル制御用端末器と、各端末器が２線式の信号線を介して接続されるとともにアドレスデータを含む伝送信号を上記信号線に送出することによって各端末器をアクセスして上記操作データ及び上記操作データに基づいて作成したファンコイルユニットの制御内容を示す制御データを時分割多重伝送する伝送処理装置とを備え、上記各スイッチは、送風能力を強とするための第１のスイッチ、送風能力を中とするための第２のスイッチ、送風能力を弱とするための第３のスイッチ、ファンコイルユニットの電源を入／切するための第４のスイッチであり、各スイッチの操作用の押釦が操作用端末器のケースの長手方向に沿って並設され、ファンコイル制御用端末器は、上記制御データに基づいてファンコイルユニットを制御する信号処理部を備え、操作用端末器の４つのスイッチは、上記伝送信号によりアドレスデータに付随して伝送される負荷番号によってファンコイルユニットの送風能力の強、中、弱、電源の入／切に対応付けられることを特徴とするものであり、押釦を押すだけの操作でファンコイルユニットの送風能力を制御したりファンコイルユニットの電源の入／切を制御することができ、操作性が向上するという効果がある。
【００４３】
また、２線式の信号線で伝送処理装置に接続されたファンコイル制御用端末器でファンコイルの制御を行うので、ファンコイルユニットの動作を遠隔から切り換え制御することができ、ファンコイルユニットのグループ制御、集中制御及び集中監視が可能となるとともに、設置場所の自由度が高くなるという効果がある。
【００４４】
また、操作用端末器の４つのスイッチは、上記伝送信号によりアドレスデータに付随して伝送される負荷番号によってファンコイルユニットの送風能力の強、中、弱、電源の入／切に対応付けられるので、照明制御用等に用いられる４つのスイッチを具備した既存の操作用端末器に負荷番号を適宜設定してネームシートを「強」、「中」、「弱」、「入／切」等の文字が記入されたネームシートに取り換えることにより、上記照明制御用等に用いられる操作用端末器をファンコイルシステムの操作用端末器として流用することができるという効果がある。
【００４５】
請求項２の発明は、請求項１の発明において、操作用端末器は、上記信号線を通して伝送処理装置から伝送される伝送信号より内部回路の動作用電源を得る電源回路を備えているので、操作用端末器に電源を供給するための配線を別途に設ける必要がないから、配線数を少なくすることができ、施工が容易になるという効果がある。
【００４６】
請求項３の発明は、請求項１または請求項２の発明において、操作用端末器は、スイッチの状態を表示する表示素子を備えているので、スイッチの状態を外部から容易に確認することができ、ファンコイルユニットの状態を知ることができるという効果がある。
【００４７】
請求項４の発明は、請求項１ないし請求項３の発明において、操作用端末器のケースは、配線器具用の取付枠に該取付枠の開口窓からケースの前面が露出する形で最大３個まで連接して取り付けることができる単位寸法の配線器具の３個分に相当する寸法に形成され、上記取付枠に取り付けるための取付部が形成されているので、コンセントなどの埋込型の配線器具と同じ施工法で施工することができ、施工業者にとって施工作業が容易になる。
【００４８】
請求項６の発明は、請求項１ないし請求項５の発明において、ファンコイル制御用端末器のケースは、電灯分電盤用協約形配線しゃ断器の整数倍の大きさに形成され、分電盤内に固定され電灯分電盤用協約形配線しゃ断器を連接して取り付けることができる盤用連接取付板に取り付けるための取付部が形成されているので、ファンコイル制御用端末器を盤用連接取付板を介して分電盤内に容易に配設することができ、配設作業及び配線作業を簡略化することができるという効果がある。
【図面の簡単な説明】
【図１】実施形態１を示すシステム構成図である。
【図２】同上の操作用端末器の概略構成図である。
【図３】同上の操作用端末器の回路ブロック図である。
【図４】同上のファンコイル制御用端末器の回路図である。
【図５】同上の動作説明図である。
【図６】同上の動作説明図である。
【図７】同上の動作説明図である。
【図８】同上の動作説明図である。
【図９】同上のファンコイル制御用端末器を示し、（ａ）は正面図、（ｂ）は平面図、（ｃ）は側面図である。
【図１０】同上のファンコイル制御用端末器のカバーを取り外した状態を示し、（ａ）は正面図、（ｂ）は側面図である。
【図１１】基本システムのシステム構成図である。
【図１２】同上に用いる伝送信号の説明図である。
【符号の説明】
１  伝送処理装置
２  ファンコイルユニット
３  ファンコイル制御用端末器
４  操作用端末器
Ｌｓ  信号線
Ｐ１〜Ｐ４  押釦
【図１】
0003596287.tif 000002
【図２】
0003596287.tif 000003
【図３】
0003596287.tif 000004
【図４】
0003596287.tif 000005
【図５】
0003596287.tif 000006
【図６】
0003596287.tif 000007
【図７】
0003596287.tif 000008
【図８】
0003596287.tif 000009
【図９】
0003596287.tif 000010
【図１０】
0003596287.tif 000011
【図１１】
0003596287.tif 000012
【図１２】
0003596287.tif 000013